(57)【特許請求の範囲】
【請求項１】
帯状でエンドレスな透光性フィルムに複数の図柄を表示してなる図柄表示テープと、該図柄表示テープを周回駆動させる駆動手段とを有し、前記図柄表示テープを並列状態で複数配列してなる図柄変動表示装置を備えた遊技機において、
棒状の発光体を有して構成されると共に該棒状の発光体が前記複数の図柄表示テープに跨るように設けられる棒状発光手段と、前記駆動手段により駆動停止された図柄の裏側後方に該図柄ごとに対応して設けられる複数の発光ダイオードからなる発光表示手段と、前記発光ダイオードの周りにあって該発光ダイオードの光を図柄裏面に向け反射可能な反射部と、を備え、
前記発光表示手段は、一つの図柄に対して図柄表示テープの幅方向に複数個の発光ダイオードを並べて構成されており、一方、左右に隣り合う図柄表示テープの裏側後方に設けられた反射部同士の間は離間しており、さらに、前記発光表示手段は前記図柄表示テープで囲われた領域であって前記駆動手段と交錯しない位置に形成された照明用の空間に配置されていることを特徴とする遊技機。
【請求項２】
前記棒状発光手段は蛍光灯を有して形成されていることを特徴とする請求項１記載の遊技機。
【発明の詳細な説明】
【０００１】
【産業上の利用分野】
本発明は、複数の図柄を変動表示するための図柄変動表示装置を備えた遊技機に関する。
【０００２】
【従来の技術】
従来、帯状でエンドレスな透光性フィルムに複数の図柄を表示してなる図柄表示テープと、該図柄表示テープを掛け渡す複数のプーリと、図柄表示テープを周回駆動させる駆動手段とを有し、前記図柄表示テープを横並び状態で複数セット配列してなる図柄変動表示装置がある。そして、この図柄変動表示装置は、内部に照明装置を有し、該照明装置で遊技客に対向する図柄表示テープの表示領域を明るく照らして図柄を浮き上がらせるようにしていた。
【０００３】
【発明が解決しようとする課題】
上記図柄変動表示装置の照明装置は、個々の図柄表示テープ毎に球形ランプを一個〜三個設置したもので、図柄変動表示装置内に（一セットの図柄表示テープに対応する球形ランプ数×図柄表示テープのセット数）個の球形ランプが取り付けられていた。例えば、一セットの図柄表示テープに対応する球形ランプ数が三個で、図柄表示テープが三セットあれば、合計九個もの球形ランプが使用されていることになる。このように球形ランプの個数が多くなると、球形ランプの装着に時間が掛かり、また、部品コストも高くつき、さらにランプ切れなどの故障が起き易く、その上、消費電力も多くなる、など非常に多くの問題点があった。
【０００４】
【課題を解決するための手段】
帯状でエンドレスな透光性フィルムに複数の図柄を表示してなる図柄表示テープと、該図柄表示テープを周回駆動させる駆動手段とを有し、前記図柄表示テープを並列状態で複数配列してなる図柄変動表示装置を備えた遊技機において、棒状の発光体を有して構成されると共に該棒状の発光体が前記複数の図柄表示テープに跨るように設けられる棒状発光手段と、前記駆動手段により駆動停止された図柄の裏側後方に該図柄ごとに対応して設けられる複数の発光ダイオードからなる発光表示手段と、前記発光ダイオードの周りにあって該発光ダイオードの光を図柄裏面に向け反射可能な反射部と、を備え、前記発光表示手段は、一つの図柄に対して図柄表示テープの幅方向に複数個の発光ダイオードを並べて構成されており、一方、左右に隣り合う図柄表示テープの裏側後方に設けられた反射部同士の間は離間しており、さらに、前記発光表示手段は前記図柄表示テープで囲われた領域であって前記駆動手段と交錯しない位置に形成された照明用の空間に配置されている遊技機を提供する。
【０００５】
【作用】
棒状発光手段で表示領域を一括して明るく照らしながら発光ダイオードにより効果的なゲームの演出が行える。
【０００６】
【実施例】
以下にパチンコ機を例にとって本発明の実施例を図面を参照しつつ説明する。なお、図１は図柄変動表示装置の分解斜視図、図２は図柄変動表示装置の縦断側面図、図３は照明装置の斜視図、図４は図柄変動ユニットを左斜め前方から見た斜視図、図５は図柄変動ユニットを右斜め前方から見た斜視図、図６は図柄変動表示装置の概略断面図及び図柄表示テープの展開図、図７はプーリを半断面にして示す要部の分解斜視図、図８はセンサーユニットを示す分解斜視図、図９は駆動手段の斜視図、図１０はパチンコ機の正面図である。
【０００７】
先ず、パチンコ機Ｐの概要について説明する。図１０のように、遊技板１の遊技領域１ａには、中央に図柄変動表示装置２が設置され、さらにその周囲に始動入賞口３，３…や変動入賞装置４などが設置されている。前記中央の図柄変動表示装置２は、遊技客に対向する部分に三列×三行で合計九個の図柄６，６…が一度に表示され、上・中・下の各行と対角線上に合計五本の当たりライン７，７…が設定されている。そして、パチンコ機Ｐは、始動入賞口３への入賞を受けて図柄変動表示装置２の図柄６を列方向に変動させ、その変動が停止した時点の当たりライン７上の図柄６が例えば「７，７，７」や「☆，☆，☆」などのように所定の組み合わせである場合に変動入賞装置４を所定の条件で作動させるのである。
【０００８】
次に、図柄変動表示装置２について説明する。図柄変動表示装置２は、遊技板１の表側に位置する取付基盤８と、一列分の図柄表示機能を持つ図柄変動ユニット９と、該図柄変動ユニット９を三個並べて収納設置する箱状の裏ケース１０と、からなる。前記取付基盤８は遊技板１にビスなどで取着されるもので、透明カバー１１を嵌め込んだ四角形の表示窓５を有する。なお、透明カバー１１を凸レンズ状にして図柄６を拡大表示するようにしてもよい。
【０００９】
前記図柄変動ユニット９は、長方形で金属製のベース板１２と、帯状でエンドレスな図柄表示テープ１３Ａと、該図柄表示テープ１３Ａを掛け渡すプーリ１４ａ〜１４ｃ及びテンションローラ１４ｄと、図柄表示テープ１３Ａを周回駆動させる駆動手段１６と、図柄表示テープ１３Ａの位置検出をするセンサーユニット１７と、図柄表示テープ１３Ａを照らす照明装置１８と、から概略構成される。
【００１０】
前記図柄表示テープ１３Ａは、乳白色で透光性がある帯状の透光性フィルム１９をエンドレスに形成すると共に該透光性フィルム１９の表面に例えば「○，△，□，☆，…」などの図柄６，６…を印刷してなる。該図柄表示テープ１３Ａの両側縁には全周に亙って濃色に着色した遮光ベルト部２０ａ，２０ｂを形成し、ベース板１２側の遮光ベルト部２０ａにほぼ等ピッチで透明な図柄ポイント２１が形成してある。そして、他側縁の遮光ベルト部２０ｂには透明なスタートポイント２２が一個形成してある。図柄表示テープ１３Ａは、前記プーリ１４ａ〜１４ｃとテンションローラ１４ｄに掛け渡されており、プーリ１４ｂとプーリ１４ｃの間が遊技客に対向する表示領域となって取付基盤８の表示窓５に対向する。
【００１１】
前記プーリ１４ａ〜１４ｃ及びテンションローラ１４ｄは、円柱形の胴部２３の先端部に図柄表示テープ１３Ａ案内用のフランジ２４を設けた形状であって、全体が硬質の合成樹脂で出来ており、さらに胴部２３内に軽量化対策のための肉抜き孔２５を等ピッチにて複数個設けてなる。プーリ１４ａ〜１４ｃは、ベース板１２の各コーナー部分に配置されており、図７に示すように、フランジ１５付きの回転軸２６ａ〜２６ｃを中心に回転自在である。回転軸２６ａ〜２６ｃはベース板１２にビスで固着されており、従って、回転軸２６ａ〜２６ｃに軸承されているプーリ１４ａ〜１４ｃは、ベース板１２上の定位置で回転する。
【００１２】
一方、テンションローラ１４ｄは、ベース板１２上に揺動自在に軸着してなるアーム２７先端に、フランジ２８付きの回転軸２６ｄをもって回転自在に軸承されており、これによりテンションローラ１４ｄがアーム２７と一緒に揺動し得る。アーム２７のもう一方の端部には付勢手段であるスプリング２９が連結されており、該スプリング２９の弾性でテンションローラ１４ｄを図柄表示テープ１３Ａ側に付勢する。
【００１３】
ベース板１２には、テンションローラ１４ｄの揺動範囲に対応するように四角い透孔３０が形成されている。そして、アーム２７のテンションローラ１４ｄ側をベース板１２の透孔３０内で揺動させるようにしてある。こうすることによりテンションローラ１４ｄを他のプーリ１４ａ〜１４ｃと同じ高さ水準に設定することができる。もちろん、前記ベース板１２の透孔３０は必須のものではないが、仮に透孔３０を設けないようにするならば次のような問題点が生ずる。すなわち、透孔３０がなければアーム２７がベース板１２の上面に完全に突出するからテンションローラ１４ｄの取付位置が高くなる。そうなれば必然的に他のプーリ１４ａ〜１４ｃも高い位置に設定する必要があり、それだけ図柄変動ユニット９の嵩（表示窓５の横幅）が増加することになる。しかし、図柄変動表示装置２の大きさにはある程度の制約があるから、図柄表示テープ１３Ａの幅を細くして図柄変動ユニット９の嵩を規定の範囲に収める必要があり、図柄６の大きさ、すなわち表示の見やすさが犠牲になるのである。
【００１４】
なお、前記回転軸２６ａ〜２６ｃと一体のフランジ１５は、円をほぼ１／４に分割した扇形状になっているが、それは、円のほぼ３／４の部分が図柄表示テープ１３Ａに全く接触しないため、その不要な部分を切除してしまうことにより、材料コストの低減と軽量化を図ることができるからである。また、実施例のように、フランジ１５及びフランジ２８をプーリ１４ａ〜１４ｃ及びテンションローラ１４ｄと別体にしたことで、図柄表示テープ１３Ａの着脱を非常に容易にすることができる。例えば、プーリ１４ｃを残して他のプーリ１４ａ，１４ｂとテンションローラ１４ｄをベース板１２側に組み付け、その状態で図柄表示テープ１３Ａを掛け渡した後、プーリ１４ｃを回転軸２６ｃに装着すればよいのである。
【００１５】
前記駆動手段１６は、図柄表示テープ１３Ａの表面に接触する駆動ローラ３１と、該駆動ローラ３１を回転させるステッピングモータ３２と、前記駆動ローラ３１に図柄表示テープ１３Ａを押し付ける加圧ローラ３３と、からなり、それらが図９に示したように一枚の小基板３４上に設置され、この小基板３４をベース板１２にビス止めすることによって該ベース板１２上に取り付けられている。なお、小基板３４は表裏両面にゴム座金３５が装着されている。該ゴム座金３５は、ステッピングモータ３２の駆動による振動を吸収する防震効果と、緩み止め効果を発揮する。
【００１６】
前記駆動ローラ３１は、ステッピングモータ３２の駆動軸３２ａに直結されており、硬質の胴部３１ａの外周に若干のクッション性と弱粘性とを有する材質でカバー層３６が設けられている。ステッピングモータ３２は、小基板３４の後縁側に位置し、該小基板３４に設けた半円形の切欠部３７に尾部を落とし込ませて高さ方向に嵩張らないようにしてある。
【００１７】
加圧ローラ３３は、図柄表示テープ１３Ａの内側に配設されており、前記駆動ローラ３１に図柄表示テープ１３Ａを介して対向している。加圧ローラ３３は、小基板３４上に揺動自在に軸着されているローラアーム５６の先端に回転自在な状態で軸承されている。ローラアーム５６は、もう一方の端部がスプリング３８で牽引されていて加圧ローラ３３を前記駆動ローラ３１側に付勢する。前記のように加圧ローラ３３と駆動ローラ３１の間には図柄表示テープ１３Ａが介在しているから、図柄表示テープ１３Ａが駆動ローラ３１の周面に加圧ローラ３３で押し付けられる。なお、加圧ローラ３３も前記プーリ１４ａ〜１４ｃと同様に、硬質の胴部３３ａに肉抜き孔２５を等ピッチにて複数個設けた形態である。
【００１８】
前記センサーユニット１７は、発光素子３９と受光素子４０の組み合わせである光学式のスタートセンサーＳ１及び図柄センサーＳ２からなる。スタートセンサーＳ１は、図８に示すようにセンサー基板４１から長く伸びる上下二本の支持フレーム４２の先端に固着され、また、図柄センサーＳ２はセンサー基板４１上に固着されており、スタートセンサーＳ１が図柄表示テープ１３Ａのスタートポイント２２に対応し、図柄センサーＳ２が図柄表示テープ１３Ａの図柄ポイント２１に対応する。なお、スタートセンサーＳ１を支持する上の支持フレーム４２には遮光用の庇板４３が一体に形成されている。
【００１９】
図柄変動表示装置２を制御する遊技用制御基盤（図示せず）は、スタートセンサーＳ１でスタートポイント２２を検知した後、その情報を元に図柄センサーＳ２で図柄６を検知するように設定されている。このスタートセンサーＳ１と図柄センサーＳ２の信号を組み合わせて前記ステッピングモータ３２を制御する。なお、光学式のセンサーに代え、図柄表示テープ１３Ａの側縁に磁気により図柄６の情報を記録して検知するなど、他の手段によって図柄表示テープ１３Ａの位置検出をしてもよい。また、ステッピングモータ３２の制御は、スタートセンサーＳ１と図柄センサーＳ２の信号を組み合わせる必要は必ずしもなく、一個のセンサーで制御するシステムを採用するようにしてもよい。そのための一具体例として、図柄ポイント２１の任意の一個を基準点に定め、該基準点の図柄ポイント２１の横に透明なスタートポイントを近接配置し、この図柄ポイント２１とスタートポイントの連続信号により基準点を判断する方法がある。
【００２０】
このセンサーユニット１７は、固定的な取付部であるベース板１２に対して図柄表示テープ１３Ａの周回方向に移動可能に取り付いている。すなわち、センサーユニット１７は、図８のように、ベース板１２に穿設した三個の丸孔４４，４４，４４にセンサー基板４１に設けた三個のネジ孔Ａ２２，Ａ２２，Ａ２２を合わせ、両者にネジ４５，４５，４５を通して締め付けるようにした固定構造であるが、センサー基板４１にはそれ以外にもネジ孔Ｂ２１，Ｂ２１，Ｂ２１とＣ２０，Ｃ２０，Ｃ２０が形成されていて、それらのネジ孔Ａ２２，Ｂ２１，Ｃ２０を適宜選択することによってベース板１２上の取付位置を三通りに変更することができる。係る構成を採用することによってコマ数の異なる図柄表示テープにも一タイプの図柄変動ユニット９で対応することができる。以下その点を図６により詳述する。
【００２１】
図６は図柄変動表示装置２の概略断面図と三種類の図柄表示テープ１３Ａ，１３Ｂ，１３Ｃの展開図を示したものである。図中右側の図柄表示テープ１３Ａは図柄６が２２コマ、同中央の図柄表示テープ１３Ｂは２１コマ、同左側の図柄表示テープ１３Ｃは２０コマに設定されており、夫々遮光ベルト部２０ａにコマ数分の図柄ポイント２１が形成されている。夫々の図柄表示テープ１３Ａ，１３Ｂ，１３Ｃには大小二種類の図柄６が混在しているが、何れも図柄ポイント２１の中心と図柄６の中心とは一対一に対応している。各図柄表示テープ１３Ａ，１３Ｂ，１３Ｃは、近似した長さに設定されており、図柄ポイント２１を等ピッチにするための調整分だけ長さが相違する。なお、この長さの相違は前記テンションローラ１４ｄの揺動で吸収可能である。図柄表示テープ１３Ａ，１３Ｂ，１３Ｃは停止状態で表示窓５の当たりライン７上に図柄６を合致させなければならないから、常に図柄ポイント２１を中央の当たりライン７上で停止させる必要がある。そこで、図柄センサーＳ２の位置を中央の当たりライン７から（図柄ポイントのピッチ×五）の距離だけ離れたところに設定すれば、そこから五個先の図柄ポイント２１、すなわち図柄６が中央の当たりライン７上に正確に停止する。
【００２２】
ここで問題なのは、図柄表示テープ１３Ａ，１３Ｂ，１３Ｃは、図柄６のコマ数が異なるため、図柄ポイント２１のピッチも異なり、図６のように五ピッチ分の距離といっても一定ではないことである。従って、２２コマ用の図柄表示テープ１３Ａに合わせてセンサーユニット１７を固定してしまうと、他の図柄表示テープ１３Ｂ，１３Ｃを使用した場合に停止した図柄６と表示窓５の当たりライン７との位置にズレが生ずることになる。そうなれば、図柄変動ユニット９を夫々の図柄表示テープごとに合わせて作り直す必要があり、多大なコストと時間を費やさなければならなくなる。
【００２３】
これに対して、当初よりセンサーユニット１７を図柄表示テープの周回方向に移動可能にしておけば、コマ数の増減による調整をセンサーユニット１７の移動で対応することができる。具体的には、センサー基板４１を止めているネジ４５を外して隣りのネジ孔Ｂ２１，Ｂ２１，Ｂ２１をベース板１２の丸孔４４に合わせれば、図６中符号Ａの位置にある図柄センサーＳ２が同符号Ｂの位置にずれて２１コマ用の図柄表示テープ１３Ｂに対応し、同様にネジ孔Ｃ２０，Ｃ２０，Ｃ２０をベース板１２の丸孔４４に合わせれば、図柄センサーＳ２の位置が図６中符号Ｃの位置にずれて２０コマ用の図柄表示ベルト１３Ｃに対応することができる。従って、一タイプの図柄変動ユニット９で対応できる。
【００２４】
なお、センサーユニット１７を移動可能にする手段は他にも種々考えられる。例えば、ベース板１２の丸孔とセンサー基板４１のネジ孔の個数を逆転させるようにしてもよい。また、丸孔を長孔形状にするか、或いは、センサー基板４１をレール枠に嵌めて、センサー基板４１をスライドさせるようにすることもできる。この場合、センサー基板４１の停止位置を明示する目盛りをベース板１２に表示するのがよい。また、必ずしもセンサーユニット１７全体を移動可能にする必要はなく、少なくとも図柄ポイント２１を検知する図柄センサーＳ２が移動可能になっていればよい。
【００２５】
照明装置１８は、図３に示したように、プリント基板１８ａと、棒状の発光体たる蛍光灯１８ｂ，１８ｂと、多数の赤色に発光する発光ダイオード１８ｃ，１８ｃ…とからなる。プリント基板１８ａは、図柄表示テープ１３Ａ〜１３Ｃの表示領域をほぼカバーする大きさの長方形であり、図２，図５に示したように、図柄変動ユニット９のベース板１２に開設した長方形の開口４６を通って図柄表示テープ１３Ａ〜１３Ｃで囲われた領域内に設置される。この開口４６には後側の一辺の延長上に凸状の切欠４７があり、該切欠４７にプリント基板１８ａの上下両縁が嵌って位置決めされる。蛍光灯１８ｂ，１８ｂは、全図柄表示テープ１３Ａ〜１３Ｃに跨るに十分な長さの直線棒状形態であり、プリント基板１８ａに固着したソケット１８ｄにより両端が支持されている。また、蛍光灯１８ｂ，１８ｂは二本を水平に並設したもので、両蛍光灯１８ｂ，１８ｂの間隔は前記図柄ポイント２１の一ピッチにほぼ等しい。
【００２６】
前記発光ダイオード１８ｃは六個を一セットとし、それが九セット取り付けられている。この発光ダイオード１８ｃの各セットは、表示領域の図柄６に対応するよう三列×三行に配列されており、中央行の図柄６に対応する発光ダイオード１８ｃの三セットが前記二本の蛍光灯１８ｂ，１８ｂの間に位置する。従って、蛍光灯１８ｂ，１８ｂが発光ダイオード１８ｃの行を仕切る機能を果たす。一方、プリント基板１８ａの表面は半田メッキ１８ｅを施した反射部になっている。該半田メッキ１８ｅは発光ダイオード１８ｃの列ごとに対応して三列設けられており、隣り合うもの同士の間に適宜な隙間４８が形成されている。従って、発光ダイオード１８ｃが点灯するとその光が半田メッキ１８ｅに反射して図柄表示テープ１３Ａ〜１３Ｃを照らし、尚且つ、半田メッキ１８ｅ同士の前記隙間４８により図柄表示テープ１３Ａ〜１３Ｃ間の照明が極端に弱まるから両縁の遮光ベルト部２０ａ，２０ｂが目だちにくい。なお、プリント基板１８ａの表面を反射構造にする手段は、前記した半田メッキ１８ｅが最も合理的である。すなわち、両面タイプのプリント基板には、芯材の表裏両面に銅箔が貼り付けてあるから、既存の自動半田槽を使って表側の銅箔表面に簡単に半田メッキ１８ｅができるのである。もちろんプリント基板の表面を反射構造にする手段は、例えば片面タイプのプリント基板にアルミ箔を貼り付けるなど、光の反射効果が得られる限りどのようなものであってもよい。
【００２７】
また、ベース板１２には、図５に示したように、前記した透孔３０や開口４６以外にも配線基盤の半田部分に対応させた遊孔４９が設けられている。この遊孔４９は、配線基盤の半田付けで盛り上がった部分を臨ませることによって配線基盤をベース板１２上に密着させ得るようにしたものである。従って、従来のように配線基盤をベース板１２上に浮き上がらせて設置する必要がなくなるから、図柄変動ユニット９の薄型化に極めて有効である。
【００２８】
而して、上記図柄変動ユニット９は一列分の図柄６に対応するものであり、三個の図柄変動ユニット９をスペーサー用の軸筒５０を介してネジ軸５１で連結し、それを裏ケース１０内に組み込む。
【００２９】
なお、本実施例は、前記加圧ローラ３３と駆動ローラ３１及びステッピングモータ３２など、全ての部品をプーリ１４ａ〜１４ｃ及びテンションローラ１４ｄの高さの範囲内に収めるように設定したものである。こうすることにより、図柄変動ユニット９を上記のように三個並設する場合でも、隣り合う図柄６同士の間隔を最小限にすることができるため、図柄６と図柄６の横方向の間隔が不必要に広がらず、表示バランスが非常に良くなる効果がある。
【００３０】
その他、図２，図５中符号５１はベース板１２側に取り付けた配線基盤、図２中符号５２は該配線基盤５１に取り付けた外部接続用のコネクター、図２，図８中符号５３はセンサー基板４１に取り付けた接続用のコネクター、図２中符号５４はセンサー基板４１のコネクター５３に接続するために前記配線基盤５１に取り付けたコネクターである。なお、センサー基板４１は前記のようにベース板１２上で位置が変わるため、コネクター５３と配線基盤５１のコネクター５４がゆとりのあるリード線５５で接続されている。
【００３１】
次に、本発明の図柄変動表示装置２の動作説明をする。先ず、図６において始動入賞口３にパチンコ球が入賞すると、三個の図柄変動ユニット９の各ステッピングモータ３２が始動して駆動ローラ３１が回転する。駆動ローラ３１は、前記のように弱粘性があるカバー層３６で表面が覆われているから摩擦係数が高く、しかも、加圧ローラ３３によって図柄表示テープ１３Ａ〜１３Ｃが加圧状態で駆動ローラ３１に接しているため、図柄表示テープ１３Ａ〜１３Ｃが駆動ローラ３１との間に生ずる摩擦力によって周回する。そして、各ステッピングモータ３２を所定の順番か、又は、一斉に停止させ、その時の当たりライン７上の図柄６の組み合わせを判定する。その判定の結果、図柄６が所定の組み合わせである場合には、パチンコ機Ｐが大当たり状態となって変動入賞装置４を所定の態様で作動させ、遊技客に所定の利益を与える。なお、実施例の図柄変動表示装置２は、図柄表示テープ１３Ａ〜１３Ｃの長さが温度や長期間の使用で多少変化しても、スプリング２９の付勢でテンションローラ１４ｄが図柄表示テープ１３Ａ〜１３Ｃに押し付けられるため、図柄表示テープ１３Ａ〜１３Ｃには常時適度な張力が付与されている。従って、図柄表示テープ１３Ａ〜１３Ｃが弛まず、外れない。
【００３２】
而して、図柄変動表示装置２の照明装置１８は、パチンコ機Ｐの遊技用制御基盤で制御されるように設定されており、蛍光灯１８ｂが表示領域を内側から照らすメインライトとして、また、発光ダイオード１８ｃがゲームの状態に合わせて変化するサブライトとして使用される。例えば、一本の当たりライン７上で二個の図柄６が揃った状態（俗にリーチ状態という。）でその当たりライン７上に対応する発光ダイオード１８ｃだけを点滅させてアピールしたり、大当たりとなった場合に全ての発光ダイオード１８ｃを点滅させる、という演出効果にサブライトが使われる。なお、実施例のように蛍光灯１８ｃを表示領域の中央部分に配置しておくことにより、中央が明るく上下に向かって光量が自然に若干低下するから、平面的な図柄表示テープを湾曲したドラムのように見せる視覚効果がある。また、発光体として蛍光灯を使用すれば、明るく、しかも発生する熱量が少ないため図柄表示テープ１３Ａ〜１３Ｃに与える熱影響が軽微であり、さらには、蛍光灯電源用のインバータを制御してフラッシングも行える、などのメリットがある。
【００３３】
以上本発明を実施例について説明したが、もちろん本発明は上記実施例に限定されるものではない。例えば、実施例では蛍光灯１８ｃとして直線的なものを二本使用したが、その二本が一方の端部で繋がった形態であるＵ字形の蛍光灯を使用したり、或いは、長円形や波形の蛍光灯を使用してもよい。Ｕ字形や長円形の蛍光灯を使用した場合は、電気的な接続部分を一箇所に集中させることができるため配線が行い易い利点がある。
【００３４】
また、図柄表示テープ１３Ａの図柄６には、文字、数字、絵などのあらゆる図形が含まれる。また、実施例ではテンションローラ１４ｄのアーム長を固定的にしたが、アーム２７に複数個（例えば三個）の軸孔を形成し、該軸孔の何れかを選択してアーム長を変更可能にしてもよい。そうすることで、アーム２７の揺動中心とテンションローラ１４ｄの外周までの最大距離を数段階（例えば三段階）に増減することができるから長さの異なる図柄表示テープ１３Ａにも幅広く対応することができる。また、同じくアーム２７の揺動中心とテンションローラ１４ｄの外周までの最大距離を増減する目的を達成するために、アーム２７を伸縮式にして前記距離を増減させるか、又は、アーム長の異なるアーム２７を複数種類用意して図柄表示テープ１３Ａのサイズに合わせてそれを選択するか、或いは、径の異なるテンションローラ１４ｄを複数種類用意して図柄表示テープ１３Ａのサイズに合わせてそれを選択するようにしてもよい。
【００３５】
また、実施例は裏ケース１０内に図柄変動ユニット９を三個並設したが、その個数は任意である。少なくとも一個あれば図柄変動のゲームは可能である。また、実施例では三個の図柄表示テープ１３Ａ〜１３Ｃを横に並べたが、該図柄表示テープ１３Ａ〜１３Ｃを縦に重ねて並べるようにすることも可能である。また、プーリの個数も四個より多くても少なくてもよい。また、駆動ローラ３１を回転させるモータは、電気的に回転制御できるものであればどのようなものであってもよい。さらにまた、遊技機としてパチンコ機Ｐを例示したが、広く遊技機全般に適用できる。
【００３６】
而して、上記した図柄変動表示装置は、特許請求の範囲の請求項１に記載した以外にも次のような技術的思想を含んでいる。すなわち、第一に、「プリント基板の表面に発光体（実施例中、蛍光灯１８ｂや発光ダイオード１８ｃが対応する。）を設置すると共に該プリント基板の表面を反射構造にしてなる遊技機用部品の照明装置。」がある。この照明装置は、例えば、両面タイプのプリント基板の表側の銅箔表面に、自動半田槽を使って簡単に半田メッキすることができるため、反射板を別体に取り付けていた従来技術の無駄を省くことができ、部品コストの削減及び組立時間の大幅短縮が可能になる。
【００３７】
第二に、「帯状でエンドレスなフィルムに複数の図柄を表示すると共に各図柄に対応して図柄ポイントを形成してなる図柄表示テープと、該図柄表示テープを掛け渡す複数のプーリと、図柄表示テープをプーリ間で周回駆動させる駆動手段と、図柄表示テープの図柄ポイントを検知する図柄センサーと、を有し、該図柄センサーの信号により前記駆動手段を制御して図柄表示テープ上の目的とする図柄を所定の位置に停止させるようになし、さらに前記図柄センサーを固定的な取付部に対して図柄表示テープの周回方向に移動可能にした遊技機の図柄変動表示装置。」がある。
【００３８】
第三に、「帯状でエンドレスなフィルムに複数の図柄を表示してなる図柄表示テープと、該図柄表示テープを掛け渡す複数のプーリと、図柄表示テープを周回駆動させる駆動手段とを有してなる図柄変動表示装置において、前記プーリに複数個の肉抜き孔を穿設して軽量化を図るようにした遊技機の図柄変動表示装置。」がある。係る構成を採用することにより、プーリの慣性モーメントを小さくすることができるから図柄表示テープの始動が素早く行え、且つ、停止位置が正確になる効果がある。もちろんテンションローラや加圧ローラにも肉抜き孔を形成すればさらに効果的であることは言うまでもない。
【００３９】
第四に、「帯状でエンドレスな透光性フィルムに複数の図柄を表示してなる図柄表示テープと、該図柄表示テープを掛け渡す複数のプーリと、図柄表示テープを周回駆動させる駆動手段とを有し、前記図柄表示テープを横並び状態で複数セット配列してなる図柄変動表示装置において、図柄表示テープの遊技客に対向する表示領域を内側から照らす蛍光灯と、前記表示領域内の各図柄に対応して設けた発光ダイオードの組み合わせにより照明装置を構成し、該照明装置の蛍光灯を点灯させて図柄表示テープを内側から照らすようになし、さらに発光ダイオードを点滅させて図柄変動を演出するようにした遊技機における図柄変動表示装置。」がある。係る構成を採用することにより、蛍光灯と発光ダイオードの特性が生かされ、耐久性に優れた照明装置が提供できる。
【００４０】
第五に「帯状でエンドレスなフィルムに複数の図柄を表示してなる図柄表示テープと、該図柄表示テープを掛け渡す複数のプーリと、図柄表示テープを周回駆動させる駆動手段とを有し、前記複数のプーリと駆動手段などの部品をベース板上に設置してなる図柄変動表示装置において、前記駆動手段を一枚の小基板上に設置して一部品化し、該駆動手段をベース板に対して小基板ごと着脱し得るようにしたことを特徴とする遊技機における図柄変動表示装置」がある。係る構成を採用することにより、ベース板上に駆動手段を直接取り付けていた従来技術に比べて、駆動ローラと加圧ローラの調整や動作確認を図柄変動表示装置の完成前に行うことができ、しかも故障し易い駆動部分のみの交換が短時間で行えるから図柄変動表示装置の修理が簡単になる、などの効果がある。
【００４１】
【発明の効果】
本発明の図柄変動表示装置は、棒状発光手段で表示領域を一括して明るく照らしながら発光ダイオードにより効果的なゲームの演出が行える。また、請求項２の図柄変動表示装置は照明装置の耐久性が高い。
【図面の簡単な説明】
【図１】  図柄変動表示装置の分解斜視図である。
【図２】  図柄変動表示装置の縦断側面図である。
【図３】  照明装置の斜視図である。
【図４】  図柄変動ユニットを左斜め前方から見た斜視図である。
【図５】  図柄変動ユニットを右斜め前方から見た斜視図である。
【図６】  図柄変動表示装置の概略断面図及び図柄表示テープの展開図である。
【図７】  プーリを半断面にして示す要部の分解斜視図である。
【図８】  センサーユニットを示す分解斜視図である。
【図９】  駆動手段の斜視図である。
【図１０】  パチンコ機の正面図である。
【符号の説明】
Ｐ    …パチンコ機（遊技機）
２    …図柄変動表示装置
６    …図柄
１３Ａ〜１３Ｃ…図柄表示テープ
１６  …駆動手段
１８ｂ…蛍光灯
１８ｃ…発光ダイオード
１９  …透光性フィルム
【図１】
0003879534.tif 000002
【図２】
0003879534.tif 000003
【図３】
0003879534.tif 000004
【図４】
0003879534.tif 000005
【図５】
0003879534.tif 000006
【図６】
0003879534.tif 000007
【図７】
0003879534.tif 000008
【図８】
0003879534.tif 000009
【図９】
0003879534.tif 000010
【図１０】
0003879534.tif 000011